【手続補正書】
【提出日】平成16年8月18日(2004.8.18)
【手続補正１】
【補正対象書類名】明細書
【補正対象項目名】特許請求の範囲
【補正方法】変更
【補正の内容】
【特許請求の範囲】
【請求項１】
物体側から順に、正の屈折力を有する第１群と、負の屈折力を有する第２群と、正の屈折力を有する第３群と、正の屈折力を有する第４群とよりなり、広角端から望遠端への変倍時、前記第１群を物体側へ移動し、前記第２群を前記第１群との間隔が増大するように移動し、前記第３群を前記第２群との間隔が狭くなるように移動し、前記第４群を前記第３群との間隔が広角端よりテレ端の方が狭くなるように移動し、開口絞りが前記第２群よりも像側でかつ前記第４群よりも物体側に配置され、前記第４群が正の屈折力を有する前群と負の屈折力を有する後群とよりなり、下記条件（１）、（２）、（３）を満足するズームレンズ。
（１）    ４．１＜ｆ1 ／｜ｆ2 ｜＜５．０
（２）    ０．０７＜｜ｆ2 ｜／ｆT ＜０．１６
（３）    ０．１＜Ｄ4 ／ｈ＜０．７
ただし、ｆ1 、ｆ2 はそれぞれ第１群および第２群の焦点距離、ｆT は望遠端における全系の焦点距離、Ｄ4 は第４群の前群と後群の空気間隔、ｈは最大の撮影像高である。
【請求項２】
前記条件（１）、（３）に代えて下記条件（１−１）、（３−１）を満足する請求項１のズームレンズ。
（１−１）    ４．１＜ｆ1 ／｜ｆ2 ｜＜５．３
（３−１）    ０．１５＜Ｄ4 ／ｈ＜０．７
【請求項３】
物体側より順に、正の屈折力を有する第１群と、負の屈折力を有する第２群と、正の屈折力を有する第３群と、正の屈折力を有する第４群とよりなり、広角端から望遠端への変倍時に、第１群が物体側へ移動し第２群が第１群との間隔が増大するように移動し、第３群が第２群との間隔が狭くなるように移動し、第４群が第３群との間隔が広角端よりテレ端の方が狭くなるように移動し、前記第１群が物体側から順に負のレンズと正のレンズと物体側に凸面を向けた正のメニスカス形状のレンズとからなり、前記第２群が物体側から順に、いずれも空気間隔をおいて配置された負のレンズ成分と負のレンズ成分と正のレンズ成分と負のレンズ成分とからなり、前記第３群が物体側から順に正の屈折力を有するレンズ成分とこのレンズ成分と空気間隔をおいて配置された負のレンズ成分とからなり、前記第４群が正の屈折力の前群と負の屈折力の後群とからなり、下記条件（１）、（３）、（４）を満足するズームレンズ。
（１）    ４．１＜ｆ1 ／｜ｆ2 ｜＜５．０
（３）    ０．１＜Ｄ4 ／ｈ＜０．７
（４）    ０．２＜ｆ3 ／ｆ4 ＜１．１
ただし、ｆ1 、ｆ2 、ｆ3 、ｆ4 はそれぞれ第１群、第２群、第３群および第４群の焦点距離、Ｄ4 は第４群の前群と後群の空気間隔、ｈは最大の撮影像高である。
【請求項４】
変倍比が４．５以上である請求項１又は２のズームレンズ。
【請求項５】
前記第３群の最も物体側に正レンズを配置したことを特徴とする請求項１、２、３又は４のズームレンズ。
【請求項６】
前記第３群の最も像側に物体側が空気間隔である負レンズを配置したことを特徴とする請求項１、２又は５のズームレンズ。
【請求項７】
前記第３群が物体側より順に正レンズと正レンズと物体側に凹面を向けた負レンズよりなることを特徴とする請求項１、２、３又は４のズームレンズ。
【請求項８】
前記第３群の最も物体側の正レンズが単レンズであることを特徴とする請求項５又は７のズームレンズ。
【請求項９】
前記第３群の最も像側の前記負レンズが単レンズであることを特徴とする請求項６又は７のズームレンズ。
【請求項１０】
前記第３群の前記負レンズの物体側の面よりもこの面と空気間隔を挟んで対向する面のほうが弱い曲率であることを特徴とする請求項７のズームレンズ。
【請求項１１】
前記第４群の前記前群が正レンズよりなり前記後群が負レンズよりなることを特徴とする請求項１、２、３又は４のズームレンズ。
【請求項１２】
前記第４群の前記後群の負レンズが光軸から離れるにしたがって負の屈折力が強くなる形状の非球面を有することを特徴とする請求項１１のズームレンズ。
【請求項１３】
前記第４群の前記負レンズの非球面がガラスレンズに樹脂を設けることにより形成することを特徴とする請求項１２のズームレンズ。
【請求項１４】
前記第２群が物体側より順にそれぞれ空気間隔を挟んで配置された負レンズと負レンズと正レンズよりなることを特徴とする請求項１又は２のズームレンズ。
【請求項１５】
前記第２群の最も物体側の負レンズが非球面を有することを特徴とする請求項１４のズームレンズ。
【請求項１６】
前記第２群のレンズがいずれも単レンズであることを特徴とする請求項１４又は１５のズームレンズ。
【請求項１７】
前記第２群が物体側より順にそれぞれ空気間隔を挟んで配置された負レンズと負レンズと正レンズと負レンズとよりなることを特徴とする請求項１又は２のズームレンズ。
【請求項１８】
前記第２群のレンズがいずれも単レンズであることを特徴とする請求項１７のズームレンズ。
【請求項１９】
下記条件（５）を満足することを特徴とする請求項１７又は１８のズームレンズ。
（５）    −０．０７≦ｈ／Ｒ2G≦０．３５
ただし、Ｒ2Gは第２群の最も物体側の面の曲率半径である。
【請求項２０】
前記第１群が物体側から順に負レンズと正レンズと物体側に凸面を向けた正のメニスカスレンズとからなることを特徴とする請求項１のズームレンズ。
【請求項２１】
前記第１群の前記負レンズと前記正レンズが下記条件（６）を満足することを特徴とする請求項３又は２０のズームレンズ。
（６）    ０≦Ｄ2 ／ｈ≦０．０３５
ただし、Ｄ2は第１群の第１レンズである負レンズと第２レンズである正レンズの空気間隔、ｈは最大の撮影像高である。
【請求項２２】
前記第１群の前記負レンズと前記正レンズとを接合して接合レンズとしたことを特徴とする請求項２１のズームレンズ。
【請求項２３】
前記第２群が下記条件（２）を満足することを特徴とする請求項３のズームレンズ。
（２）    ０．０７＜｜ｆ2 ｜／ｆT ＜０．１６
ただし、ｆ2 は第２群の焦点距離、ｆT は望遠端における全系の焦点距離である。
【請求項２４】
前記条件（３）の代りに下記条件（３−２）を満足することを特徴とする請求項１、２、３又は４のズームレンズ。
（３−２）    ０．１４＜Ｄ4 ／ｈ＜０．５
【請求項２５】
前記条件（１）の代りに下記条件（１−１）を満足することを特徴とする請求項１、２、３又は４のズームレンズ。
（１−１）    ４．３＜ｆ1 ／｜ｆ2 ｜＜４．９
【請求項２６】
下記条件（４）を満足することを特徴とする請求項１又は２のズームレンズ。
（４）    ０．２＜ｆ3 ／ｆ4 ＜１．１
ただし、ｆ3 、ｆ4 はそれぞれ第３群および第４群の焦点距離である。
【請求項２７】
広角端における画角が６５°を超えることを特徴とする請求項１、２、３、４、５、６、７、８、９、１０、１１、１２、１３、１４、１５、１６、１７、１８、１９、２０、２１、２２、２３、２４、２５又は２６のズームレンズ。
【請求項２８】
請求項１、２、３、４、５、６、７、８、９、１０、１１、１２、１３、１４、１５、１６、１７、１８、１９、２０、２１、２２、２３、２４、２５、２６又は２７のズームレンズを備えた撮像装置で、前記ズームレンズの像側に光路を分割する光路分割手段を配置し、この光路分割手段により分割された光路内の一方を撮像用の光路にし他方を観察用のファインダーを配置したファインダー用の光路としたことを特徴とする撮像装置。
【手続補正２】
【補正対象書類名】明細書
【補正対象項目名】００２４
【補正方法】変更
【補正の内容】
【００２４】
また本発明の第２の構成は、前記の各群のパワー配置でまた変倍時前記の通り各群が移動するレンズ系で、第１群が物体側より順に、負のレンズ成分と正のレンズ成分と物体側に凸面を向けた正のメニスカス形状のレンズ成分からなり、第２群が物体側より順にそれぞれが空気間隔を挟んで配置された負のレンズ成分と負のレンズ成分と正のレンズ成分と負のレンズ成分とからなり、第３群が物体側より順に、正の屈折力を有する正の群とこの正の群と空気間隔を設けて配置された負のレンズ成分とからなり、第４群が正の屈折力を有する前群と負の屈折力を有する後群とからなり、次の条件（１）、（３）、（４）を満足することを特徴とする。
（１）    ４．１＜ｆ1 ／｜ｆ2 ｜＜５．０
（３）    ０．１＜Ｄ4 ／ｈ＜０．７
（４）    ０．２＜ｆ3 ／ｆ4 ＜１．１
ただしｆ3 ，ｆ4 は夫々第３群および第４群の焦点距離である。
【手続補正３】
【補正対象書類名】明細書
【補正対象項目名】００３９
【補正方法】変更
【補正の内容】
【００３９】
前記第１、第２の構成のズームレンズにおいて、第３群の最も物体側に正のレンズ成分を配置することが望ましい。
【手続補正４】
【補正対象書類名】明細書
【補正対象項目名】００４４
【補正方法】変更
【補正の内容】
【００４４】
本発明のズームレンズにおいて、第２群と第３群との変倍作用を強めることによってレンズ系を一層小型で高変倍にすることが可能である。そのために、前述のように第３群の最も物体側に正のレンズ成分を配置しまたこの正のレンズ成分とは空気間隔をおいて最も像面側に負のレンズ成分を配置するようにすれば、主点を第２群に近づけることができ変倍作用を強くすることができる。
【手続補正５】
【補正対象書類名】明細書
【補正対象項目名】００４６
【補正方法】変更
【補正の内容】
【００４６】
また前記後群中に中心より周辺へ行くにしたがって負の屈折力が強くなる形状の非球面を設けることが望ましい。このような非球面を設けることにより、第４群の前群と後群をそれぞれ１枚のレンズにて構成して第４群全体の軸上の長さを小にして第４群を小型にしても光学性能を良好に保ち得る。